(57)【特許請求の範囲】
【請求項１】
室内空気を浄化する空気清浄機能を有する室内機を備えた空気調和機であって、
前記室内機に設けられ静電ミストを発生させる静電霧化装置と、前記室内機及び前記静電霧化装置を制御する制御手段と、室内空気の温度を検知する温度センサと、室内空気の湿度を検知する湿度センサを備え、室内空気の温度及び湿度に基づいて、前記静電霧化装置の運転を許可する運転許可領域及び該運転許可領域の内側に安定霧化領域とを設定し、前記制御手段は、前記温度センサにより検知された温度及び前記湿度センサにより検知された湿度が前記運転許可領域外の場合には、前記静電霧化装置の運転を禁止し、前記安定霧化領域内の場合には、前記静電霧化装置を第１の所定時間連続運転あるいは間欠運転するとともに、前記運転許可領域内で前記安定霧化領域外の場合には、前記第１の所定時間より長い第２の所定時間連続運転を行うことを特徴とする空気調和機。
【請求項２】
室内空気を浄化する空気清浄機能を有する室内機を備えた空気調和機であって、
前記室内機に設けられ静電ミストを発生させる静電霧化装置と、前記室内機及び前記静電霧化装置を制御する制御手段と、室内空気の温度を検知する温度センサと、室内空気の湿度を検知する湿度センサを備え、室内空気の温度及び湿度に基づいて、前記静電霧化装置の運転を許可する運転許可領域及び該運転許可領域の内側に安定霧化領域とを設定し、前記制御手段は、前記温度センサにより検知された温度及び前記湿度センサにより検知された湿度が前記運転許可領域外の場合には、前記静電霧化装置の運転を禁止し、前記安定霧化領域内の場合には、前記静電霧化装置を第１の所定時間連続運転あるいは間欠運転するとともに、前記運転許可領域内で前記安定霧化領域外の場合には、前記静電霧化装置の能力を増大して連続運転を行うことを特徴とする空気調和機。
【請求項３】
前記室内機に設けられた室内ファンの回転数を検知する回転数検知手段をさらに備え、前記静電霧化装置の前記第１の所定時間の連続運転あるいは間欠運転終了後、あるいは前記運転許可領域内で前記安定霧化領域外の場合における連続運転終了後、前記回転数検知手段により検知された回転数が第１の回転数以上の場合には、前記静電霧化装置を間欠運転する一方、前記第１の回転数未満の場合には、前記静電霧化装置を連続運転することを特徴とする請求項１または２に記載の空気調和機。
【請求項４】
前記回転数検知手段により検知された回転数が第１の回転数以上の場合における前記静電霧化装置の間欠運転は、前記第１の所定時間の間欠運転より前記静電霧化装置の能力を減少することを特徴とする請求項３に記載の空気調和機。
【請求項５】
前記回転数検知手段により検知された回転数が前記第１の回転数より低い第２の回転数未満の場合には、前記静電霧化装置の運転を停止することを特徴とする請求項３あるいは４に記載の空気調和機。
【発明の詳細な説明】
【技術分野】
【０００１】
本発明は、室内空気を浄化する空気清浄機能を有する室内機を備えた空気調和機に関する。
【背景技術】
【０００２】
従来の空気調和機には脱臭機能を備えたものがあり、例えば室内機の吸込口に設けた空気清浄用プレフィルタにより臭気成分を吸着したり、送風路の途中に設けた酸化分解機能を有する脱臭ユニットにより臭気成分を吸着したりしている。
【０００３】
しかしながら、脱臭機能を有する空気調和機は、吸込口から吸い込まれた空気中に含まれる臭気成分を取り除いて脱臭するため、室内の空気中に含まれる臭気成分や、カーテンや壁等に付着した臭気成分を除去することはできなかった。
【０００４】
そこで、室内機の送風路に静電霧化装置を設け、静電霧化装置により発生した粒子径がナノメートルサイズの静電ミストを空気とともに室内に吹き出すことで、室内空気に含まれる臭気成分や、カーテンや壁等に付着した臭気成分を除去するようにした空気調和機も提案されている（例えば、特許文献１あるいは２参照。）。
【０００５】
また、静電霧化装置をペルチェ素子で構成するとともに、室内機に吸い込まれる空気の温度と湿度を検知する吸込温度検知手段と湿度検知手段を設け、吸込温度検知手段と湿度検知手段の検知結果に基づいてペルチェ素子の駆動電源と高電圧電極に高電圧を印可する高電圧電源を制御することで、給水を行うことなく静電霧化に必要な水を得られるようにしたものも提案されている（例えば、特許文献３参照。）。
【０００６】
さらに、吸込温度検知手段と湿度検知手段を設けることなく、結露水量と静電霧化時に発生する放電電流量との相関関係を利用して、検知した放電電流に基づいてペルチェ素子駆動電源をフィードバック制御することで、安定した静電霧化制御を行うようにしたものも提案されている（例えば、特許文献４参照。）。
【０００７】
【特許文献１】特開２００５−２８２８７３号公報
【特許文献２】特開２００６−２３４２４５号公報
【特許文献３】特開２００６−１４９５３８号公報
【特許文献４】特開２００７−２１３７３号公報
【発明の開示】
【発明が解決しようとする課題】
【０００８】
しかしながら、特許文献３に記載の空気調和機にあっては、ペルチェ素子の冷却面の温度を測定する冷却面温度測定手段が必要で、制御手段は、この冷却面温度測定手段により測定された冷却面の温度を露点温度に近づけるようにペルチェ素子駆動電源の電圧を制御しており、構成が複雑でコストアップを惹起するという問題がある。
【０００９】
また、特許文献４に記載の空気調和機は、吸込温度検知手段と湿度検知手段を持たない構成で、室内の湿度が高く、高電圧電極に結露した水と対向電極との距離が短くなることに伴い異音が発生したり、所望の粒子径を有する静電ミストが発生しない領域や、逆に室内の湿度が低く、ペルチェ素子が最大能力を発揮しても露点温度まで到達できずオゾンが発生する可能性のある領域や、露点温度が氷点下の領域でも静電霧化装置が不必要に動作し、静電霧化装置の寿命が短くなったり、省エネを達成できないという問題がある。
【００１０】
本発明は、従来技術の有するこのような問題点に鑑みてなされたものであり、室内空気の温度及び湿度に基づいて、異音やオゾンを発生することなく静電霧化装置が所望の静電ミストを発生できる領域や静電ミストを安定して発生できる領域を設定して静電霧化装置の運転を制御することで、静電霧化装置の高寿命化あるいは省エネを達成することができる信頼性の高い空気調和機を提供することを目的としている。
【課題を解決するための手段】
【００１１】
上記目的を達成するために、本発明は、室内空気を浄化する空気清浄機能を有する室内機を備えた空気調和機であって、前記室内機に設けられ静電ミストを発生させる静電霧化装置と、前記室内機及び前記静電霧化装置を制御する制御手段と、室内空気の温度を検知する温度センサと、室内空気の湿度を検知する湿度センサを備え、室内空気の温度及び湿度に基づいて、前記静電霧化装置の運転を許可する運転許可領域及び該運転許可領域の内側に安定霧化領域とを設定し、前記制御手段は、前記温度センサにより検知された温度及び前記湿度センサにより検知された湿度が前記運転許可領域外の場合には、前記静電霧化装置の運転を禁止し、前記安定霧化領域内の場合には、前記静電霧化装置を第１の所定時間連続運転あるいは間欠運転するとともに、前記運転許可領域内で前記安定霧化領域外の場合には、前記第１の所定時間の連続運転とは異なる連続運転を行うことを特徴とする。
【００１２】
この構成により、室内空気の温度及び湿度が運転許可領域外の場合には、静電霧化装置の運転が禁止されるので、静電霧化装置の無駄な運転や過負荷状態での運転が防止され、空気調和機の信頼性を維持することができる。また、室内空気の温度及び湿度が運転許可領域内であっても、安定霧化領域内かどうかに応じて静電霧化装置の運転を適宜制御するようにしたので、静電霧化装置の高寿命化あるいは省エネを達成することができる。
【発明の効果】
【００１３】
本発明に係る空気調和機によれば、室内空気の温度及び湿度に応じて、静電霧化装置を最適制御するようにしたので、静電霧化装置の高寿命化あるいは省エネを達成することができるとともに空気調和機の信頼性を向上することができる。
【発明を実施するための最良の形態】
【００１４】
第１の発明は、室内空気を浄化する空気清浄機能を有する室内機を備えた空気調和機に、静電ミストを発生させる静電霧化装置と、室内機及び静電霧化装置を制御する制御手段と、室内空気の温度を検知する温度センサと、室内空気の湿度を検知する湿度センサを設け、室内空気の温度及び湿度に基づいて、静電霧化装置の運転を許可する運転許可領域及び該運転許可領域の内側に安定霧化領域とを設定し、温度センサにより検知された温度及び湿度センサにより検知された湿度が運転許可領域外の場合には、静電霧化装置の運転を禁止したので、静電霧化装置の無駄な運転や過負荷状態での運転が防止され、空気調和機の信頼性を維持することができる。また、安定霧化領域内の場合には、静電霧化装置を第１の所定時間連続運転あるいは間欠運転するとともに、運転許可領域内で安定霧化領域外の場合には、第１の所定時間の連続運転とは異なる連続運転を行うようにしたので、構成が簡素で安価にもかかわらず静電霧化装置の高寿命化あるいは省エネを達成することができる。
【００１５】
また、第１の所定時間の連続運転とは異なる連続運転が、第１の所定時間より長い第２の所定時間行う連続運転であり、これにより静電霧化装置の能力不足に基づく静電ミストの発生量の低下を極力防止することができ、室内を静電ミストで充満することができる。
【００１６】
さらに、第２の発明は、第１の所定時間の連続運転とは異なる連続運転が、静電霧化装置の能力を増大して行う連続運転であり、これにより静電ミストの発生量の低下を極力防止することができ、室内を静電ミストで充満することができる。
【００１７】
また、第３の発明は、室内ファンの回転数を検知する回転数検知手段をさらに設け、回転数検知手段により検知された回転数が第１の回転数以上の場合には、静電霧化装置を間欠運転する一方、第１の回転数未満の場合には、静電霧化装置を連続運転するようにしたので、静電霧化装置の高寿命化あるいは省エネに貢献することができる。
【００１８】
また、第４の発明は、回転数検知手段により検知された回転数が第１の回転数以上の場合における静電霧化装置の間欠運転が、第１の所定時間の間欠運転より静電霧化装置の能力を減少するものであり、静電霧化装置の不必要な能力運転を抑制して、静電霧化装置の高寿命化あるいは省エネに貢献することができる。
【００１９】
また、第５の発明は、回転数検知手段により検知された回転数が第１の回転数より低い第２の回転数未満の場合には、静電霧化装置の運転を停止するようにしたので、静電霧化装置の運転に起因する騒音を低減することができ、居住者に不快感を与えることがない。
【００２０】
以下、本発明の実施の形態について、図面を参照しながら説明する。
空気調和機は、通常冷媒配管で互いに接続された室外機と室内機とで構成されており、図１及び図２は、本発明にかかる空気調和機の室内機を示している。
【００２１】
図１及び図２に示されるように、室内機は、本体２に室内空気を吸い込む吸込口として前面吸込口２ａ及び上面吸込口２ｂを有し、前面吸込口２ａには開閉自在の可動前面パネル（以下、単に前面パネルという）４を有しており、空気調和機停止時は、前面パネル４は本体２に密着して前面吸込口２ａを閉じているのに対し、空気調和機運転時は、前面パネル４は本体２から離反する方向に移動して前面吸込口２ａを開放する。
【００２２】
本体２の内部には、前面吸込口２ａ及び上面吸込口２ｂの下流側に設けられ空気中に含まれる塵埃を除去するためのプレフィルタ５と、このプレフィルタ５の下流側に設けられ前面吸込口２ａ及び上面吸込口２ｂから吸い込まれた室内空気と熱交換するための熱交換器６と、熱交換器６で熱交換した空気を搬送するための室内ファン８と、室内ファン８から送風された空気を室内に吹き出す吹出口１０を開閉するとともに空気の吹き出し方向を上下に変更する上下羽根１２と、空気の吹き出し方向を左右に変更する左右羽根１４とを備えている。また、前面パネル４の上部は、その両端部に設けられた複数のアーム（図示せず）を介して本体２の上部に連結されており、複数のアームの一つに連結された駆動モータ（図示せず）を駆動制御することで、空気調和機運転時、前面パネル４は空気調和機停止時の位置（前面吸込口２ａの閉塞位置）から前方に向かって移動する。上下羽根１２も同様に、その両端部に設けられた複数のアーム（図示せず）を介して本体２の下部に連結されている。
【００２３】
また、室内機の一方の端部（室内機正面から見て左側端部で、後述する隔壁４６ｃのバイパス流路２２側）には、室内空気を換気するための換気ファンユニット１６が設けられており、換気ファンユニット１６の後方には、静電ミストを発生させて室内空気を浄化する空気清浄機能を有する静電霧化装置１８が設けられている。
【００２４】
なお、図１は前面パネル４及び本体２を覆う本体カバー（図示せず）を取り除いた状態を示しており、図２は室内機本体２と静電霧化装置１８との接続位置を明確にするために本体２の内部に収容されている静電霧化装置１８を本体２とは分離した状態を示している。静電霧化装置１８は実際には図３に示される形状を呈し、図１あるいは図４に示されるように、本体２の左側部に取り付けられている。
【００２５】
＜静電霧化装置の構成＞
図２乃至図４に示されるように、静電霧化装置１８は、前面吸込口２ａ及び上面吸込口２ｂから熱交換器６、室内ファン８等を経由して吹出口１０に連通する主流路２０において、熱交換器６と室内ファン８とをバイパスするバイパス流路２２の途中に設けられており、バイパス流路２２の上流側に高電圧電源となる高電圧トランス２４とバイパス送風ファン２６が設けられ、バイパス流路２２の下流側に静電霧化ユニット３０の放熱を促進する放熱部２８を有する静電霧化ユニット３０とサイレンサ３２が設けられている。したがって、上流側から順に高電圧トランス２４、バイパス送風ファン２６、放熱部２８、静電霧化ユニット３０、及びサイレンサ３２が配置された状態で、バイパス流路２２の一部を構成するケーシング３４に収容されている。このようにケーシング３４に収容することにより、組み立て性が向上し、ケーシング３４で流路を形成するので、省スペース化を図るとともに、バイパス送風ファン２６による空気の流れを、発熱部である高電圧トランス２４や放熱部２８に確実に当てて冷却することができるとともに、静電霧化ユニット３０から発生した静電ミストを確実に空気調和機の吹出口１０に導入することができ、発生した静電ミストを被空調室内に放出させることができる。
【００２６】
また、ケーシング３４は、ケーシング３４の内部を流れる空気流の方向が、主流路２０を流れる空気流の方向に対して、室内機本体２の正面から見て平行にとなるように縦方向に配置されており、これにより室内機本体２の正面から見て換気ファンユニット１６と重なる位置に隣接配置することができ、さらに省スペース化を達成している。
【００２７】
なお、高電圧トランス２４は必ずしもケーシング３４内に収容する必要はないが、バイパス流路の通風により冷却されるため、温度上昇の抑制あるいは省スペース化の点で、ケーシング３４内に収容するのが好ましい。
【００２８】
ここで、従来公知の静電霧化ユニット３０について図５及び図６を参照しながら説明する。
【００２９】
図５に示されるように、静電霧化ユニット３０は、放熱面３６ａと冷却面３６ｂとを有する複数のペルチェ素子３６と、放熱面３６ａに熱的に密着して接続された上述した放熱部（例えば、放熱フィン）２８と、冷却面３６ｂに電気絶縁材（図示せず）を介して熱的に密着して立設された放電電極３８と、この放電電極３８に対し所定距離だけ離隔して配置された対向電極４０とで構成されている。
【００３０】
また、図６に示されるように、静電霧化装置１８，１８Ａは、換気ファンユニット１６の近傍に配置された制御部４２（図１参照）を有し、この制御部４２にペルチェ駆動電源４４と高電圧トランス２４は電気的に接続されており、ペルチェ素子３６及び放電電極３８はペルチェ駆動電源４４及び高電圧トランス２４にそれぞれ電気的に接続されている。
【００３１】
なお、静電霧化ユニット３０として放電電極３８から高電圧放電させて静電ミストを発生させるためには、対向電極４０を設けなくても可能である。例えば、放電電極３８に高電圧電源の一方の端子を接続し、他方の端子をフレーム接続するようにしておけば、フレーム接続された構造体の放電電極３８に近接した部分と放電電極３８との間で放電することとなる。そのような構成の場合には、そのフレーム接続された構造体を対向電極４０と見なすことができる。
【００３２】
上記構成の静電霧化ユニット３０において、制御部４２によりペルチェ駆動電源４４を制御してペルチェ素子３６に電流を流すと、冷却面３６ｂから放熱面３６ａに向かって熱が移動し、放電電極３８の温度が低下することで放電電極３８に結露する。さらに、制御部４２により高電圧トランス２４を制御して、結露水が付着した放電電極３８に高電圧を印可すると、結露水に放電現象が発生して粒子径がナノメートルサイズの静電ミストが発生する。なお、本実施の形態においては、高電圧トランス２４としてマイナス高電圧電源を用いているので、静電ミストは負に帯電している。
【００３３】
また、本実施の形態においては、図７に示されるように、主流路２０は、本体２を構成する台枠４６の後部壁４６ａと、この後部壁４６ａの両端部より前方に延びる両側壁（図７では左側壁のみ示す）４６ｂと、台枠４６の下方に形成されたリヤガイダ（送風ガイド）４８の後部壁４８ａと、この後部壁４８ａの両端部より前方に延びる両側壁（図７では左側壁のみ示す）４８ｂとで形成されており、台枠４６の一方の側壁（左側壁）４６ｂとリヤガイダ４８の一方の側壁（左側壁）４８ｂとでバイパス流路２２を主流路２０から分離する隔壁４６ｃを構成している。さらに、台枠４６の一方の側壁４６ｂにバイパス流路２２のバイパス吸入口２２ａが形成される一方、リヤガイダ４８の一方の側壁４８ｂにバイパス流路２２のバイパス吹出口２２ｂが形成されている。
【００３４】
空気調和機の場合、冷房時においては、室内機の熱交換器６を通過した低温の空気は相対湿度が高く、静電霧化装置１８において、水分を補給するためにペルチェ素子３６を備えた場合に、ペルチェ素子３６のピン状の放電電極３８のみならずペルチェ素子３６全体に結露が発生しやすくなる。一方、暖房時においては、熱交換器６を通過した高温の空気は相対湿度が低いため、ペルチェ素子３６の放電電極３８に結露しない可能性が極めて高い。
【００３５】
そこで上記構成のように、主流路２０とバイパス流路２２を隔壁４６ｃで分離し、静電ミストを発生させる静電霧化装置１８をバイパス流路２２に設けたことにより、熱交換器６を通過せず温湿度調整がなされていない空気が静電霧化装置１８に供給される。これにより、冷房時においては静電霧化ユニット３０のペルチェ素子３６全体に結露が発生することを有効に防止することで安全性が向上する。また、暖房時においては静電ミストを確実に発生させることができる。
【００３６】
バイパス流路２２は、バイパス吸入管２２ｃとケーシング３４とバイパス吹出管２２ｄから構成されており、台枠側壁４６ｂに形成されたバイパス吸入口２２ａに一端が接続されたバイパス吸入管２２ｃは左方（左側壁４６ｂに略直交し、前面パネル４に略平行な方向）に延びて、その他端はケーシング３４の一端に接続され、さらにケーシング３４の他端に一端が接続されたバイパス吹出管２２ｄは下方に延びて右方に折曲され、その他端はリヤガイダ４８の一方の側壁４８ｂのバイパス吹出口２２ｂに接続されている。このようにバイパス流路２２の一部をケーシング３４で構成することで、省スペース化を達成することができるとともに、これらを一連に構成することでバイパス吹出管２２ｄを介して静電霧化ユニット１８から静電ミストを主流路２０に向けて確実に誘引することができ、静電ミストを被空調室内に放出させることができる。
【００３７】
バイパス吸入口２２ａはプレフィルタ５と熱交換器６との間、すなわちプレフィルタ５の下流側で熱交換器６の上流側に位置しており、前面吸込口２ａ及び上面吸込口２ｂより吸い込まれた空気に含まれる塵埃はプレフィルタ５により有効に除去されるので、静電霧化装置１８に塵埃が侵入することを抑制できる。これにより、静電霧化ユニット３０に塵埃が堆積することを有効に防止でき、静電ミストを安定的に放出することができる。
【００３８】
このように本実施の形態においては、プレフィルタ５で静電霧化装置１８と主流路２０のプレフィルタを兼ねる構成となっているが、これによりメンテナンスはプレフィルタ５のみを清掃すればよく、それぞれ別に手入れをする必要がないので、手入れを簡略化することができる。さらには、後述するようなプレフィルタ自動清掃装置を備えた空気調和機においては、プレフィルタ５に特別の手入れは必要なく、メンテンナンスフリー化を実現することができる。
【００３９】
一方、バイパス吹出口２２ｂは熱交換器６及び室内ファン８の下流側で吹出口１０の近傍に位置しており、バイパス吹出口２２ｂから吐出された静電ミストが主流路２０の空気流に乗って拡散し部屋全体に充満するように構成されている。このようにバイパス吹出口２２ｂを熱交換器６の下流側に配置したのは、熱交換器６の上流側に配置すると、熱交換器６は金属製のため、荷電粒子である静電ミストは熱交換器６にその大部分（約８〜９割以上）が吸収されるからである。また、バイパス吹出口２２ｂを室内ファン８の下流側に配置したのは、室内ファン８の上流側に配置すると、室内ファン８の内部には乱流が存在し、室内ファン８の内部を通過する空気が室内ファン８の様々な部位に衝突する過程で静電ミストの一部（約５割程度）が吸収されるからである。
【００４０】
また、バイパス吹出口２２ｂを設けたリヤガイダ４８の一方の側壁４８ｂの主流路２０側は、室内ファン８により空気流に所定の速度が付与されることで、側壁４８ｂの主流路２０側とバイパス流路２２側において圧力差が生じ、バイパス流路２２に対し主流路２０側が相対的に低圧となる負圧部となっており、バイパス流路２２から主流路２０に向かって空気が誘引される。したがって、バイパス送風ファン２６は小容量のもので済み、場合によってはバイパス送風ファン２６を設けなくてもよい。
【００４１】
さらに、バイパス吹出管２２ｄは、主流路２０との合流点（バイパス吹出口２２ｂ）において主流路２０内の空気流に対し略直交する方向に指向するように隔壁４６ｃ（リヤガイダ４８の側壁４８ｂ）に接続されている。これは、静電霧化ユニット３０は、上述したように放電現象を利用して静電ミストを発生させていることから、必然的に放電音を伴い、放電音には指向性があるからである。したがって、バイパス流路２２と主流路２０の合流点（バイパス吹出口２２ｂ）において、バイパス流路２２を前面パネル４に略平行に接続することで、室内機の前方あるいは斜め前方にいる人に対して、放電音が極力指向しないように構成して騒音を低減することができる。
【００４２】
また、図８に示されるように、バイパス吹出管２２ｄを主流路２０との合流点において隔壁４６ｃに対し傾斜させ、主流路２０内の空気流に対し上流側に指向するように接続すると、より一層放電音による騒音の低減に効果がある。
【００４３】
なお、バイパス吹出管２２ｄの指向する方向が主流路２０内の空気流の下流方向に指向して接続した場合においても、その延長線が吹出口１０から外部に出ないようにしておけば、発生する放電音が吹出口１０から直接外部に出る量が少なく、直接的に使用者の耳に入射することも少ないため、騒音低減効果を奏することができる。
【００４４】
以上説明したように、主流路２０とバイパス流路２２を隔壁４６ｃで分離し、静電ミストを発生させる静電霧化装置１８を熱交換器６をバイパスして主流路２０に連通するバイパス流路２２に設けたので、熱交換器６を通過せず温湿度調整がなされていない空気が静電霧化装置１８に供給されるので、冷房時においては静電霧化ユニット３０のペルチェ素子３６全体に結露が発生することを有効に防止することで安全性が向上するとともに、暖房時においては静電ミストを確実に発生させることができ、空気調和機の運転モードに関わらず、すなわち、季節に関係なく静電ミストを安定的に発生させることができる。
【００４５】
次に、プレフィルタ５に付着した塵埃を吸引して除去する吸引装置を有するプレフィルタ自動清掃装置をさらに設けた空気調和機について説明する。図９を参照しながら換気ファンユニット１６を説明すると、換気ファンユニット１６は換気専用であっても、プレフィルタ自動清掃装置を有する室内機に設けられた吸引装置の給気用を兼ねるものであってもよい。図９に示される換気ファンユニット１６は、隔壁４６ｃのバイパス流路２２側でプレフィルタ自動清掃装置の吸引装置５８に組み込まれているが、プレフィルタ自動清掃装置は既に公知なので、図１０を参照しながら簡単に説明する。プレフィルタ自動清掃装置の詳細な構造や運転方法については、特に限定されるものではない。
【００４６】
図１０に示されるように、プレフィルタ自動清掃装置５０は、プレフィルタ５の表面に沿って摺動自在の吸引ノズル５２を備えており、吸引ノズル５２はプレフィルタ５の上下端に設置された一対のガイドレール５４により、プレフィルタ５と極めて狭い間隙を保って円滑に左右に移動することができ、プレフィルタ５に付着した塵埃は吸引ノズル５２より吸引して除去される。また、吸引ノズル５２には屈曲自在の吸引ダクト５６の一端が連結され、吸引ダクト５６の他端は吸引量可変の吸引装置５８に連結されている。さらに、吸引装置５８には排気ダクト６０が連結され、室外へ導出されている。
【００４７】
また、吸引ノズル５２の上下方向の周囲には吸引ノズル５２に沿って摺動自在のベルト（図示せず）が巻回されており、吸引ノズル５２のプレフィルタ５と対向する面には、プレフィルタ５の縦長さに略等しい長さのスリット状のノズル開口部が形成される一方、ベルトには、プレフィルタ５の縦長さの例えば１／４の長さのスリット状の吸引孔が形成されている。
【００４８】
上記構成のプレフィルタ自動清掃装置５０は、必要に応じてプレフィルタ５の清掃範囲Ａ，Ｂ，Ｃ，Ｄを順次清掃するが、範囲Ａを吸引清掃する場合、ベルトを駆動してその吸引孔を範囲Ａの位置に固定した状態で、吸引しながら吸引ノズル５２をプレフィルタ５の右端から左端まで駆動することでプレフィルタ５の水平方向の範囲Ａが吸引清掃される。
【００４９】
次に、ベルトを駆動してその吸引孔を範囲Ｂの位置に固定し、この状態で吸引しながら吸引ノズル５２をプレフィルタ５の左端から右端まで駆動することで今度はプレフィルタ５の水平方向の範囲Ｂが吸引清掃される。同様に、プレフィルタ５の範囲Ｃ、Ｄも吸引清掃される。
【００５０】
プレフィルタ５に付着し、吸引ノズル５２により吸引された塵埃は吸引ダクト５６、吸引装置５８、排気ダクト６０を経由して室外へ排出される。
【００５１】
図９をさらに参照すると、吸引装置５８の吸入路には開口部６２が形成されるとともに、この開口部６２を開閉するためのダンパ６４が設けられており、換気ファンユニット１６は、ダンパ６４が開口部６２を開いた時は換気用として、吸引清掃を行う場合はダンパ６４により開口部６２を閉じてベルトの吸引孔から塵埃を吸引する吸引用として使用される。すなわち、同じ吸引装置５８を使用して吸引清掃機能と換気機能を実現させている。
【００５２】
なお、図９には排気ダクト６０は図示されていないが、排気ダクト６０は吸引装置５８の排気口５８ａに接続されている。
【００５３】
図１１はケーシング３４を持たない静電霧化装置１８Ａを示しており、この静電霧化装置１８Ａは図１２に示されるように室内機本体２に組み込まれる。あるいは、図１２に示される破線領域１８Ｂ（図９に示される静電霧化装置１８においてバイパス流路２２の下流側に設けられた静電霧化ユニット３０とサイレンサ３２と略同じ位置）に組み込まれる。これらは、静電霧化装置１８Ａを室内機の正面又は上面から見て換気ファンユニット１６と重なる位置に配設するとともに、静電霧化装置１８Ａを換気ファンユニット１６の開口部６２及びダンパ６４の近傍で、換気ファンユニット１６による吸引空気が流れる部分に配置するものである。
【００５４】
さらに詳述すると、図１１の静電霧化装置１８Ａは、放熱部２８を有する静電霧化ユニット３０とサイレンサ３２が一体的に取り付けられ、放熱部２８を除く静電霧化ユニット３０部分とサイレンサ３２はそれぞれのハウジング（ユニットハウジング６６とサイレンサハウジング６８）に収容され、サイレンサハウジング６８にバイパス吹出管２２ｄの一方が接続されて連通し、バイパス吹出管２２ｄの他方が主流路２０に接続されて連通している。この場合、隔壁４６ｃにより主流路２０から分離され、図示しない本体カバーの左側面との間に形成されて、換気ファンユニット１６、静電霧化装置１８Ａ等が配設された収容部２２ｅが前述したバイパス吸入管２２ｃとケーシング３４との代わりとなるとともに、バイパス吹出管２２ｄまでも収容してバイパス流路２２として構成することになる。
【００５５】
なお、バイパス吹出管２２ｄは、主流路２０の空気流に対して指向する向きで騒音低減が図れることは上述したとおりであるが、必ずしも必要というものではなく、サイレンサハウジング６８を直接的にバイパス吹出口２２ｂに接続してもよい。これにより、静電霧化装置１８Ａの構成をより簡素化することができる。ただし、騒音低減のために向きの配慮が必要なことはバイパス吹出管２２ｄと同様である。
【００５６】
これにより、プレフィルタ５を介して本体２内に吸い込まれる空気は、プレフィルタ５の下流側のバイパス吸入口２２ａより収容部２２ｅに吸い込まれ、その空気流の方向は、主流路２０を流れる空気流の方向に対して、室内機本体２を正面から見て平行に収容部２２ｅ内を流れることになる。このように収容部２２ｅ内を流れた空気により放熱部２８は冷却されるとともに、ユニットハウジング６６に形成された開口部（図示せず）より静電霧化ユニット３０に取り込まれる。
【００５７】
このように構成することで、室内機の正面又は上面から見て換気ファンユニット１６と重なる換気ファンユニット１６の周囲空間がバイパス流路２２となり、換気ファンユニット１６、静電霧化装置１８Ａ等の収容部２２ｅを有効に活用して省スペース化を達成することができる。なお、この構成では、高電圧トランス２４は換気ファンユニット１６、静電霧化装置１８Ａ等の収容部２２ｅにおける任意の部位に配置され、バイパス送風ファン２６は設けられない。
【００５８】
また、このようにバイパス流路２２を、主流路２０を通過する空気流に対して、室内機本体２を正面から見て平行に空気流が流れるように構成することにより、上で詳述したように隔壁４６ｃという簡略な構成で主流路２０とバイパス流路２２を分岐することができるため、容易にバイパス流路２２が形成でき、部品点数を削減することができる。
【００５９】
さらに、本構成とすることで、静電霧化装置１８Ａのプレフィルタと主流路２０のプレフィルタをプレフィルタ５で共有化することができる。共有化の効果については、先述の通りであるので、ここでは詳細は省略する。
【００６０】
なお、換気ファンユニット１６の後部にあたる台枠４６の下部近傍において、室内機と室外機とを接続する配管（図示せず）を引き出せるように開口４６ｄを形成してもよい。上述したバイパス吸入口２２ａは、収容部２２ｅに空気を吸い込むために隔壁４６ｃ（台枠側壁４６ｂ）に形成された収容部２２ｅにおける１つの開口であり、室内機の外部とはプレフィルタ５を通して連通していたが、台枠４６の下部に形成された開口４６ｄにおいては、収容部２２ｅが室内機の外部と直接連通して周囲の空気を吸い込む開口となる。このような場合には、収容部２２ｅはプレフィルタ５をもバイパスするバイパス流路となる。したがって、静電霧化装置１８Ａに吸い込まれる空気は開口４６ｄから流入したものとなってプレフィルタ５を通過しないことになるので、必要に応じて別途静電霧化装置１８Ａ用のプレフィルタを設ければよい。また、開口４６ｄを形成した構成でも室内機の正面又は上面から見て換気ファンユニット１６と重なる位置に静電霧化装置１８Ａが配設されていることは変わらず、収容部２２ｅを有効に活用して省スペース化を達成することができるのは同様である。
【００６１】
上述したように、バイパス吹出口２２ｂの主流路２０側は、室内ファン８により空気流に所定の速度が付与されることで圧力差が発生して誘引される負圧部となっているので、バイパス送風ファン２６は設けなくても、バイパス吹出管２２ｄを介してバイパス流路である収容部２２ｅから主流路２０に向かって誘引される空気により放熱部２８は冷却され、静電霧化ユニット３０により発生した静電ミストが主流路２０に誘引され、被空調室内に放出させることができる。また、放熱部２８は、破線領域１８Ｂのように開口部６２及びダンパ６４の近傍で、開口部６２に吸い込まれる空気が流れる部分に配置したことから換気ファンユニット１６による吸引空気によっても冷却される。
【００６２】
なお、図１２に示されるように、静電霧化装置１８Ａの放熱部２８を吸引装置５８に設けられた開口部６２に近接して配置することで、開口部６２に吸い込まれる空気により放熱部２８がより冷却され、静電霧化ユニット３０からの放熱が促進される。また、換気ファンユニット１６として換気専用のファンを使用した場合、ダンパ６４は設けられることがないので、換気ファンユニット１６の吸込口に放熱部２８を近接配置することで、放熱部２８は効率よく冷却される。
【００６３】
以上説明したように、上記構成によれば、主流路２０とバイパス流路となる収容部２２ｅとを隔壁４６ｃで分離し、静電ミストを発生させる静電霧化装置１８Ａを収容部２２ｅに設けたので、熱交換器６を通過せず温湿度調整がなされていない空気が静電霧化装置１８Ａに供給されるので、冷房時においては静電霧化ユニット３０のペルチェ素子３６全体に結露が発生することを有効に防止することで安全性が向上するとともに、暖房時においては静電ミストを確実に発生させることができ、空気調和機の運転モードに関わらず、すなわち、季節に関係なく静電ミストを安定的に発生させることができる。
【００６４】
＜室内の温湿度に基づく静電霧化装置の運転制御＞
この制御は、静電霧化装置１８，１８Ａの運転条件として複数のパラメータを設定し、これらのパラメータに基づいて静電霧化装置１８，１８Ａを制御することで、被空調室内に静電ミストを充満させて室内空気を浄化し、居住者の快適環境を維持するためのものであり、加えて、省エネあるいはペルチェ素子３６等の寿命の観点から静電霧化装置１８，１８Ａの不要な運転を防止するためのものである。
【００６５】
本実施の形態では、運転許可条件として次のようなパラメータが設定されている。
（ｉ）室内空気の温度
（ii）室内空気の湿度
（iii）室内ファン８の回転数
【００６６】
室内機には、吸い込まれる空気の温度を検知する吸込温度センサ７２（図１４参照）が吸込口（前面吸込口２ａあるいは上面吸込口２ｂ）の近傍に設けられ、吸い込まれる空気の湿度を検知する湿度センサ７４（図１４参照）が、例えば室内機の電源基板に設けられており、室内機に吸い込まれる空気の温度と湿度に基づいて設定された静電霧化装置１８，１８Ａの運転許可領域及び安定霧化領域が室内機の制御部７０（図１４参照）に記憶されている。これらの領域について、図１３のグラフを参照しながらまず説明する。
【００６７】
図１３に示されるように、室内機に吸い込まれる空気の温度と湿度に基づいて、過剰結露領域と第１の性能外領域と氷点下領域が設定され、これらの領域を除く領域が運転許可領域として設定されている。過剰結露領域とは、湿度が高く（第１の所定値以上）、放電電極３８に結露した水と対向電極４０との距離が短くなることで短絡に近い状態となり、短絡電流により異音が発生したり、所望の粒子径を有する静電ミストが発生しなくなったりする領域である。また、第１の性能外領域とは、湿度が低く（前記第１の所定値より小さい第２の所定値以下）、ペルチェ素子３６が最大能力を発揮しても露点温度まで到達できない領域のことであり、結露水と対向電極４０との間の放電ではなく、放電電極３８と対向電極４０との間の放電となるためオゾンが発生する虞がある。さらに、氷点下領域とは、湿り空気線図から求められる露点温度が氷点下となる領域のことである。
【００６８】
すなわち、過剰結露領域を設定して静電霧化装置１８，１８Ａの運転を禁止することによって、室内の湿度が高く、高電圧電極に過剰に結露した水と対向電極との距離が短くなることに伴って異音が発生してしまうことや、所望の粒子径を有する静電ミストが発生しなくなってしまうことを防止することができる。
【００６９】
また、第１の性能外領域を設定して静電霧化装置１８，１８Ａの運転を禁止することによって、室内の湿度が低く、ペルチェ素子３６が最大能力を発揮しても露点温度まで到達できずにオゾンが発生してしまうことを防止することができる。
【００７０】
また、氷点下領域を設定して静電霧化装置１８，１８Ａの運転を禁止することによって、露点温度が氷点下の領域でも不必要に動作し、静電霧化装置１８，１８Ａの寿命が短くなったり、省エネを達成できなくなったりしてしまうことを防止することができる。
【００７１】
なお、図１３のグラフにおいて、上限温度が設定されているが、この上限温度以上の領域は放熱部２８のサイズに依存するので、この領域は第２の性能外領域ということができる。すなわち、上述したように、ペルチェ素子３６に電流を流すと、冷却面３６ｂから放熱面３６ａに向かって熱が移動し、放電電極３８の温度が低下することで放電電極３８に結露し、放熱面３６ａに移動した熱は放熱部２８から放熱するが、静電霧化ユニット３０の収納性の点から放熱部２８のサイズには制約がある。放熱部２８のサイズは、少なくとも暖房運転時の最高設定温度（例えば、３０℃）では確実に正常動作することを考慮して設定され、この最高設定温度以上の温度（例えば、３２〜３５℃）でも静電霧化ユニット３０がおおむね正常に動作するようには設定されている。しかしながら、この最高設定温度以上になると温度が高くなるにつれて正常な動作が妨げられる可能性も高くなってくる。したがって、検知温度が上限温度としての暖房運転時の最高設定温度を超えると、静電霧化ユニット３０の正常な動作が妨げられる第２の性能外領域と見なしている。なお、冷房運転においても放熱部２８のサイズに制約されるのは同様であり、例えばここでの上限温度である３０℃以下にまで室内温度が低下してから静電霧化装置１８，１８Ａが動作することになる。
【００７２】
すなわち、第２の性能外領域を設定することによって、上限温度を超えてペルチェ素子３６の動作が不安定な状態で静電霧化装置１８，１８Ａを運転してしまうことを防止することができる。
【００７３】
１例として、運転許可領域は次のように設定される。
・温度＝５〜３０℃
・相対湿度＝３０〜８５％
・露点温度＝２℃以上
【００７４】
一方、静電霧化装置１８，１８Ａの安定霧化領域は運転許可領域の内側に設定され、放電電極３８において所望の結露が得られる領域である。したがって、運転許可領域内ではあるが安定霧化領域外の温湿度では、放電電極３８に結露は発生するものの、水分量が不足することがあり、十分な静電ミストが放出されない可能性もある。
【００７５】
１例として、安定霧化領域は次のように設定される。
・温度＝１０〜２５℃
・相対湿度＝４０〜７０％
・露点温度＝５℃以上
【００７６】
次に、室内ファン８の回転数について説明する。
ペルチェ素子３６の冷却面３６ｂから放熱面３６ａに向かって移動した熱は放熱部２８で放熱するが、回転数検知手段７６（図１４参照）により検知された室内ファン８の回転数が所定回転数（例えば、７００ｒｐｍ）に満たない場合、放熱部２８における放熱が不十分となり、ペルチェ素子３６により所望の冷却性能を発揮できない。そこで、室内ファン８の回転数に応じて静電霧化装置１８，１８Ａの運転状態を変更する制御を行っている。
【００７７】
また、室内ファン８の回転数が前記所定回転数よりさらに低くなると（例えば、５００ｒｐｍ未満）、静電霧化装置１８，１８Ａの放電音が目立つこともあり、この場合には静電霧化装置１８，１８Ａの運転を停止することで、そのような騒音の発生を回避するようにしている。
【００７８】
図１４は室内機の制御部７０と静電霧化装置１８，１８Ａの制御部４２の信号の授受を示すブロック図である。
【００７９】
図１４に示されるように、吸込温度センサ７２の出力、湿度センサ７４の出力及び回転数検知手段７６の出力は室内機の制御部７０に入力されるとともに、静電霧化装置１８，１８Ａの制御部４２は高電圧トランス２４の出力値及びペルチェ駆動電源４４の出力値を監視している。また、室内機の制御部７０と静電霧化装置１８，１８Ａの制御部４２とは、電源電圧線と運転許可信号線と異常信号線により電気的に接続されている。ここで、吸込温度センサ７２及び湿度センサ７４は、冷暖房や除湿の空調運転における冷凍サイクルの制御に用いられているものを使用している。
【００８０】
また、室内機内の電源電圧線には、静電霧化装置１８，１８Ａの待機時の消費電力を抑制するための開閉手段７８が設けられており、静電霧化装置１８，１８Ａの運転時には、室内機の制御部７０より開閉手段７８を介して静電霧化装置１８，１８Ａの制御部４２に電源電圧が印可される。
【００８１】
静電霧化装置１８，１８Ａは、冷暖房時の空気調和機の運転と同時に運転されるが、リモコン（遠隔操作装置）を使用して居住者の好みに応じて単独運転することもできるように設定されている。
【００８２】
静電霧化装置１８，１８Ａの運転制御について、図１５のフローチャートを参照しながら詳述する。
【００８３】
図１５のフローチャートに示されるように、まずステップＳ１において、空気調和機の冷房または暖房運転指令あるいは静電霧化装置１８，１８Ａの単独運転指令が室内機の制御部７０に入力されると、ステップＳ２において、吸込温度センサ７２により検知された温度と湿度センサ７４により検知された湿度に基づいて運転許可領域かどうかを判定する。運転許可領域外と判定されると、所望の静電ミストが得られなかったり過負荷状態での運転となる可能性が高いので、ステップＳ３において静電霧化装置１８，１８Ａの運転を禁止し、運転許可領域内と判定されると、ステップＳ４において安定霧化領域かどうかを判定する。
【００８４】
ステップＳ４において安定霧化領域内と判定されると、ステップＳ５において第１の所定時間（例えば、３時間）パワフル運転（連続運転）を行う一方、安定霧化領域外と判定されると、放電電極３８における結露水が減少し静電ミストの発生量が不足する虞があるので、ステップＳ６において第１の所定時間より長い第２の所定時間（例えば、５時間）パワフル運転を行うか、あるいは、第１の所定時間静電霧化装置１８，１８Ａの能力を増大して（例えば、１２０％）にして、部屋全体に充満できる静電ミストを供給し、ステップＳ７に移行する。
【００８５】
なお、ここでいう静電霧化装置１８，１８Ａの能力とは、出力電圧のことを意味しており、定常状態（１００％の能力運転）での出力電圧が５ｋＶの場合、１２０％の能力運転では、出力電圧を６ｋＶまで増大する。
【００８６】
ステップＳ７においては、室内ファン８の回転数が第１の回転数（例えば、７００ｒｐｍ）より高いかどうかを判定し、第１の回転数以上と判定されると、ステップＳ８において静電霧化装置１８，１８Ａの能力を７５％まで減少したデューティ運転を行って、ペルチェ素子３６、放電電極３８等の高寿命化を図る一方、第１の回転数未満と判定されると、低回転数時の放熱低下により結露水が不足して静電ミストの発生量が低下する虞があるので、ステップＳ９においてパワフル運転を行って、ステップＳ１０に移行する。
【００８７】
ステップＳ１０においては、室内ファン８の回転数が第１の回転数より低い第２の回転数（例えば、５００ｒｐｍ）より高いかどうかを判定し、第２の回転数以上と判定されると、ステップＳ７に戻る一方、第２の回転数回転数未満と判定されると、ステップＳ１１において静電霧化装置１８，１８Ａの運転を停止し、低回転数時の静穏状態において静電霧化装置１８，１８Ａの運転による騒音発生を防止し、居住者に不快感を与えないようにしている。ステップＳ１１において静電霧化装置１８，１８Ａの運転を停止後、ステップＳ７に戻る。
【００８８】
図１６は、静電霧化装置１８，１８Ａの運転開始後の運転状態を示すタイミングチャートであり、同図におけるＡはステップＳ５におけるパワフル運転を、ＢはステップＳ６における１００％のパワフル運転を、ＣはステップＳ６における１２０％のパワフル運転を、ＤはステップＳ８におけるデューティ運転をそれぞれ示している。なお、図１６に示されるデューティ運転は、デューティ比を０．５に設定し、静電霧化装置１８，１８Ａの運転、停止を１０分毎に繰り返すようにしている。
【００８９】
なお、静電霧化装置１８，１８Ａの運転開始直後のパワフル運転に代えて、ステップＳ８のデューティ運転における静電霧化装置１８，１８Ａの能力より大きい能力のデューティ運転を行うようにしてもよく、ステップＳ８のデューティ運転の運転率より大きい運転率のデューティ運転（デューティ比＞０．５）で）を行うようにしてもよい。
【００９０】
＜汚れ検知手段の出力に基づく静電霧化装置の運転制御＞
上述した室内の温湿度に基づく静電霧化装置の運転制御に代えて、汚れ検知手段の出力に基づいて静電霧化装置１８，１８Ａを運転制御することもできる。
【００９１】
空気調和機運転中には被空調室内を脱臭、浄化するため静電霧化装置１８，１８Ａをできるだけ運転するのが好ましいが、静電ミストによる空気清浄効果や付着臭除去効果と、静電霧化装置の長寿命化を両立することを目的にこの制御は行われる。すなわち、この制御には、静電霧化装置１８，１８Ａの連続運転モードと間欠運転モードが設けられており、間欠運転モードを標準モードに設定して静電霧化装置の長寿命化を図るとともに、静電ミストによる脱臭清浄効果を最大限発揮したい場合に連続運転モードに切り替えるようにしている。
【００９２】
汚れ検知手段としては、室内空気の汚れ度を直接検知するガスセンサ、光学式ホコリセンサ等が使用される。ガスセンサは臭気ガス、ＣＯ２、水蒸気などの各種のガス成分を直接検知することができるものである。例えば、被空調室内の在室者が喫煙をおこなった際は臭気ガスと同時に煙草の煙、ヤニなどの粒子状物質が放出され、また在室者が調理をおこなった際は臭気ガス、水蒸気などと同時に調理に伴う油煙など各種の粒子状物質が放出されるため、ガスセンサの出力と被空調室内空気中の粒子状物質濃度の相関は極めて高い。このため、通常の生活環境においては、ガスセンサにより直接的に粒子状物質の有無を精度良く検出することができる。このようなガスセンサは、例えば室内機の電源基板に実装してもよく、あるいは室内機のリモコン受光部の近傍に取り付けられる。
【００９３】
このガスセンサを汚れ検知手段として使用した場合について、図１７のブロック図及び図１８のフローチャートを参照しながら説明する。
【００９４】
図１７に示されるように、ガスセンサ（以下、汚れセンサという）８０は室内機の制御部７０に駆動回路８４を介して接続され、制御部７０にはさらに表示部８６が接続されている。制御部７０は記憶部８８を有し、記憶部８８には汚れ度の第１の閾値及び第２の閾値が設定されている。また、表示部８６には空気の汚れ度を表示し、例えばＬＥＤ表示を用いて空気の汚れ度が大きい方から順に赤（大）、橙（中）、緑（清浄）のような複数色で表示したり、ＬＥＤの点灯数によって表示したりされるので、居住者はこの表示部８６を確認して空気の汚れ度の状態を容易に知ることができる。
【００９５】
汚れセンサ８０により検知された室内の汚れ度は駆動回路８４を介して制御部７０に入力され、記憶部８８に設定された第１の閾値あるいは第２の閾値と比較され、比較結果に応じて静電霧化装置１８，１８Ａの能力が制御される。
【００９６】
図１８のフローチャートを参照しながらさらに詳述すると、ステップＳ２１において空気調和機が運転を開始すると同時に、間欠運転モードが選択されて静電霧化装置１８，１８Ａが間欠運転され、ステップＳ２２において、汚れセンサ８０により室内の汚れ度が検知される。次のステップＳ２３において、検知された室内空気の汚れ度が第１の閾値と比較され、第１の閾値より小さい場合には、室内空気は「清浄」と判定して、ステップＳ２４において、静電霧化装置１８，１８Ａの間欠運転が継続され、表示部８６に「緑」が点灯する。この場合、静電霧化装置１８，１８Ａの能力は、例えば運転率５０％に設定され、約１０分間の運転と約１０分間の停止を繰り返すことになり、静電霧化装置１８，１８Ａが発生した静電ミストの効果（脱臭浄化効果）と静電霧化装置１８，１８Ａの長寿命化を両立させている。
【００９７】
一方、ステップＳ２３において、検知された室内空気の汚れ度が第１の閾値以上と判定されると、連続運転モードが選択されるとともに、ステップＳ２５に移行し、検知された室内空気の汚れ度が第１の閾値より大きい第２の閾値と比較される。第２の閾値より小さい場合には、室内空気の汚れ度は「中（普通）」と判定して、ステップＳ２６において、静電霧化装置１８，１８Ａが第１の所定時間連続運転されるとともに、表示部８６に「橙」が点灯する。
【００９８】
一方、ステップＳ２５において、検知された室内空気の汚れ度が第２の閾値以上の場合は、室内空気の汚れ度は「大」と判定して、ステップＳ２７において、静電霧化装置１８，１８Ａが第２の所定時間連続運転されるとともに、表示部８６に「赤」が点灯する。
【００９９】
なお、第１の所定時間及び第２の所定時間は、室内空気の汚れ検知を起点として清浄になると想定される時間よりも長く設定され、連続運転モードから間欠運転モードへの復帰のタイミングは、次のように設定される。室内空気が清浄となった後も静電霧化装置１８，１８Ａを運転するのは、室内空気が清浄となっても、汚れの原因となる臭気ガスは室内の一部（例えば、天井、カーテン等）に依然として付着しており、この臭気ガスを確実に除去するためである。
（ｉ）第１の所定時間と第２の所定時間を同じ時間（例えば、１時間あるいは１．５時間）に設定する。第１の所定時間と第２の所定時間を同じにすると、制御が簡素である。
図１９は、空気が清浄な状態から静電霧化装置１８，１８Ａの連続運転を行う第１の所定時間と第２の所定時間を共に１時間に設定した場合のタイミングチャートを示しており、静電霧化装置１８，１８Ａの連続運転を１時間継続した後、間欠運転モードに復帰する。
（ii）第１の所定時間を１時間に設定し、第２の所定時間を第１の設定時間より長く（例えば、２時間）設定する。この設定も制御が簡素であり、室内空気の汚れ度に応じて付着臭気を除去できる。
（iii）室内空気が汚れた状態から清浄になった後所定時間（例えば、１時間）経過したとき。この設定により、付着臭気を確実に除去できる。
（iv）前記（ｉ）あるいは（iii）のいずれか長い時間を設定する。この設定により、付着臭気をより確実に除去できる。
（ｖ）第１の所定時間と第２の所定時間を可変設定する。具体的には、室内の汚れ度及び汚れ継続時間（表示部８６における「橙」あるいは「赤」の点灯時間）に基づく次の算出式を使用して、第１の所定時間及び第２の所定時間を算出する。
Ｔ＝Ｎ×ｔ×α
Ｔ：第１の所定時間あるいは第２の所定時間
Ｎ：汚れ度を示しており、汚れ度が「清浄」の場合は０、汚れ度が「中」の場合は１、汚れ度が「大」の場合は２
ｔ：汚れ継続時間
α：定数
１例として、α＝５に設定し、表示部８６に「赤」が点灯し、汚れ継続時間が１０分の場合を考えると、室内の汚れ度は「大」なので、Ｎ＝２となり、
Ｔ＝２×１０×５＝１００（分）
となる。したがって、表示部８６に「赤」が点灯した後、１時間４０分の間、静電霧化装置１８，１８Ａが連続運転されることになる。
前記算出式によれば、静電霧化装置１８，１８Ａの連続運転時間がかなり短い場合（例えば、３０分）も想定されるので、連続運転時間Ｔに最小値（例えば、１時間）を設定することもできる。
この設定により、汚れ度に応じた最適連続運転を行うことができる。
（vi）室内空気が汚れた状態から清浄になった時を起点として前記（ｖ）の算出式に基づいて静電霧化装置１８，１８Ａの連続運転時間を算出する。
【０１００】
また、静電霧化装置１８，１８Ａの連続運転モードにおいては、室内ファン８の回転数を空気調和機の通常運転時の回転数（例えば、５００〜１２００ｒｐｍ）より高く（例えば、１３００〜１５００ｒｐｍ）設定すると、静電ミストの誘因が促進され静電ミストの放出量が増大するばかりでなく、風量が増大することで室内のすみずみまで静電ミストが行き渡ることになる。
【０１０１】
上述したように、バイパス送風ファン２６の設置は必須ではないが、バイパス送風ファン２６が設けられている場合には、静電霧化装置１８，１８Ａの連続運転モードにおいては、バイパス送風ファン２６の回転数を高く設定すると、静電ミストの誘因が促進され静電ミストの放出量が増大する。例えば、バイパス送風ファン２６としてプロペラファンを採用した場合、静電霧化装置１８，１８Ａの間欠運転モードにおいては、バイパス送風ファン２６の回転数は約２０００ｒｐｍ程度に設定されるが、連続運転モードにおいては、約３０００ｒｐｍ程度に設定することもできる。
【０１０２】
さらに、バイパス送風ファン２６が設けられている場合には、室内ファン８に加えてバイパス送風ファン２６の回転数を高く設定してもよいが、少なくとも一方のファンの回転数を高く設定すればよい。
【０１０３】
上記実施の形態において、室内空気の汚れ度に二つの閾値を設け、室内空気の汚れ度に応じて静電霧化装置１８，１８Ａの間欠運転モードあるいは連続運転モードを選択するとともに連続運転モードにおける運転時間を設定するようにしたが、室内空気の汚れ度に一つの閾値を設け、室内空気の汚れ度に応じて静電霧化装置１８，１８Ａの運転モードのみ選択するように制御することもできる。この場合、表示部８６には室内空気の汚れ度が２色で表示される。また、三つ以上の閾値を設け、静電霧化装置１８，１８Ａの連続運転時間をさらに細かく制御するようにしてもよく、この場合、表示部８６には室内空気の汚れ度が４色以上で表示される。
【０１０４】
このように閾値の数は任意に設定できるが、数が少ないほど静電霧化装置１８，１８Ａによる空気清浄のきめ細かい制御は低下するが簡易な構成でコストの上昇を抑制することが可能となり、数が多いほど構成が複雑になるが静電霧化装置１８，１８Ａによる空気清浄のきめ細かい制御が可能となる。
【０１０５】
以上説明したように、汚れ検知手段が検知した室内空気の粒子状物質の多寡、すなわち汚れ度に応じて静電霧化装置１８，１８Ａの能力を制御し、例えば汚れ度が小さい場合は静電霧化装置１８，１８Ａを間欠運転する一方、汚れ度が大きい場合は静電霧化装置１８，１８Ａの能力を増大して運転するようにしたので、長期に渡り静電霧化装置１８，１８Ａを正常運転することができるとともに、静電ミストによる脱臭などの空気浄化機能を維持継続することができる。
【０１０６】
＜静電霧化装置のクリーニング運転制御＞
室内で煙草を吸ったり肉や魚を焼いた後、しばらくして空気調和機を停止して退室すると、煙草や焼き肉あるいは焼き魚等の臭いが室内に残り天井や壁面等に付着したりする。このクリーニング制御は、退室後に静電霧化装置１８，１８Ａを継続して運転することにより室内に残存する臭いや天井あるいは壁面等の付着臭を除去するために行うものである。
【０１０７】
さらに詳述すると、静電霧化装置１８，１８Ａを運転するクリーニングボタンと複数の時間設定ボタンをリモコンに設け、空気調和機の運転中にクリーニングボタンを押下することにより退室時等の空気調和機の運転停止後も静電霧化装置１８，１８Ａを所定時間延長運転して、室内の脱臭浄化を行うことができる。静電霧化装置１８，１８Ａの運転時間は、複数の時間設定ボタンのいずれかを押下することにより設定することができ、時間設定ボタンとして「２時間」「４時間」「８時間」等の設定ボタンを設ければよい。また、クリーニングボタンは、空気調和機の運転を行わない場合に静電霧化装置１８，１８Ａを単独運転したい場合にも使用される。
【０１０８】
空気調和機の運転中にクリーニングボタンが押下され、複数の時間設定ボタンのいずれかが押下されると、空気調和機の運転停止後も静電霧化装置１８，１８Ａの運転は、押下された時間設定ボタンの設定時間だけ延長される。この時、室内ファン８の回転数は、所定の回転数（例えば、冷暖房運転中における最大回転数、１１００〜１２００ｒｐｍ）に設定され、上下羽根１２は水平よりやや上向きに設定されて、吹き出し空気を室内上方に到達させ（天井気流）、室内のすみずみまで静電ミストを到達させる。
【０１０９】
また、左右羽根１４は、例えば９枚で構成されるとともに、左側３枚、中央３枚、右側３枚をそれぞれ一つのブロックとする三つのブロックに分割され、ブロック毎に独立して左右羽根１４の角度を変更することができる構成の場合、全てのブロックの左右羽根１４の角度を室内機の正面に向かって風を吹き出すように設定してもよく、室内機の両側に風を吹き出すように設定してもよく、左右にスイング（揺動）するように設定してもよい。
【０１１０】
同時に、換気ファンユニット１６を運転して、室内の空気を室外に排出することにより換気量を増大し、脱臭浄化効果を向上させるのが好ましい。
【０１１１】
また、静電霧化装置１８，１８Ａが運転中であることを示すＬＥＤ等の点灯素子を表示部８６に設けることにより、クリーニング運転中は、空気調和機が停止しているにもかかわらず静電霧化装置１８，１８Ａの運転が継続していることを居住者に報知するようにしている。
【０１１２】
さらに、室内機に人体検知センサを設けた空気調和機のクリーニング運転について説明する。
室内機に人体検知センサを一つ設け、室内における人の在否のみを検知する構成の場合、空気調和機の運転を停止しても室内に人がいることを人体検知センサが検知すると、室内ファン８は、上述した所定の回転数より低い回転数（例えば、空気調和機の停止前の設定回転数）に設定され、上下羽根１２及び左右羽根１４は上述したクリーニング運転と同様に制御される。
【０１１３】
このクリーニング運転中に、人が退室し人体検知センサにより人を検知しなくなると、上述したクリーニング運転時の設定に戻る。
【０１１４】
次に、室内機に複数の人体検知センサを設けた構成のクリーニング運転について説明する。
図２０は、前面パネル４の上部に取り付けられた五つの人体検知センサ９０，９２，９４，９６，９８を有する室内機を示しており、図２０（ａ）はセンサカバー９９を取り外した状態を、図２０（ｂ）はセンサカバー９９を取り付けた状態をそれぞれ示している。
【０１１５】
人体検知センサ９０は、回路基板と、回路基板に取り付けられたレンズと、レンズの内部に実装された人体検知センサとで構成されており、この構成は、他の人体検知センサ９２，９４，９６，９８についても同様である。さらに、人体検知センサ９０，９２，９４，９６，９８は、例えば人体から放射される赤外線を検知することにより人の在否を検知する赤外線センサにより構成されており、赤外線センサが検知する赤外線量の変化に応じて出力されるパルス信号に基づいて回路基板により人の在否が判定される。
【０１１６】
図２１は、人体検知センサ９０，９２，９４，９６，９８で検知される人体位置判別領域を示しており、人体検知センサ９０，９２，９４，９６，９８は、それぞれ次の領域に人がいるかどうかを検知することができる。
人体検知センサ９０：領域Ａ＋Ｃ＋Ｄ
人体検知センサ９２：領域Ｂ＋Ｅ＋Ｆ
人体検知センサ９４：領域Ｃ＋Ｇ
人体検知センサ９６：領域Ｄ＋Ｅ＋Ｈ
人体検知センサ９８：領域Ｆ＋Ｉ
【０１１７】
すなわち、人体検知センサ９０，９２で検知できる領域と、人体検知センサ９４，９６，９８で検知できる領域が一部重なっており、領域Ａ〜Ｉの数よりも少ない数の人体検知センサ９０，９２，９４，９６，９８を使用して各領域Ａ〜Ｉにおける人の在否を検知するようにしている。なお、各領域Ａ〜Ｉにおける人の在否推定については、本願出願人が既に提案しているので（例えば、特許第３９６３９３５号公報参照）、その説明は割愛する。
【０１１８】
このように、室内機に複数の人体検知センサ９０，９２，９４，９６，９８を設けた場合、室内における人の在否のみならず人がいる位置も判別できるので、この場合のクリーニング運転時の上下羽根１２、左右羽根１４の制御は、人に風を当てない設定と、人に直接風を当てないが人の近傍に風を到達させることで静電ミストによる除菌作用を行う設定のいずれかを行うものとする。
【０１１９】
人に風を当てない設定では、上下羽根１２は水平よりやや上向きに設定されて、吹き出し空気を室内上方に到達させ、左右羽根１４は、上述したクリーニング運転と同様に設定される。
【０１２０】
一方、人の近傍に風を到達させる設定では、上下羽根１２は人がいる領域の前縁（室内機側の縁部）を狙って設定され、左右羽根１４は人がいる領域を狙って設定される。
【０１２１】
＜断線検知制御＞
この制御は、静電霧化装置１８，１８Ａの運転時に、室内機の制御部７０と静電霧化装置１８，１８Ａの制御部４２との間の断線、コネクタの外れ等の非接続状態を検知するためのものである。
【０１２２】
図２２は、図１４における室内機の制御部７０と静電霧化装置１８，１８Ａの制御部４２間の異常信号線を示す詳細ブロック図である。図２２に示されるように、異常信号線は、静電霧化装置１８，１８Ａの制御部４２の異常出力部と室内機の制御部７０の異常入力部とを接続しており、室内機においては抵抗１００を介して電源電圧に接続される一方、静電霧化装置１８，１８Ａにおいてはトランジスタ１０２と二つの抵抗１０４，１０６に接続されている。
【０１２３】
図２３（ａ）に示されるように、室内機の制御部７０と静電霧化装置１８，１８Ａの制御部４２との間の複数の接続線に断線等がなく正常な場合には、静電霧化装置１８，１８Ａの運転開始時に、開閉手段７８がまずＯＮになり、室内機の制御部７０より静電霧化装置１８，１８Ａの制御部４２に電源電圧が印可される。電源電圧の印可直後における発振安定待ち、イニシャライズ等の所定期間は、静電霧化装置１８，１８Ａの制御部４２の異常出力部の電圧レベルはＬｏレベル状態で、この所定期間が経過して初めてＨｉレベルが確定する。
【０１２４】
一方、室内機の制御部７０の異常入力部は、静電霧化装置１８，１８Ａの制御部４２における異常出力部のＨｉレベルが確定するまでは、電圧レベルが不定のためＨｉレベル状態にあり、異常出力部のＨｉレベル確定後、Ｌｏレベルに変化する。
【０１２５】
本実施の形態においては、発振安定待ち、イニシャライズ等の所定期間経過後に所定の断線検知期間（非接続状態検知期間）を設けており、室内機の制御部７０は、この断線検知期間に異常入力部がＨｉレベルからＬｏレベルに変化すると正常（断線なし）と判定し、断線検知期間経過後に静電霧化装置１８，１８Ａの制御部４２に運転許可信号を出力する。
【０１２６】
一方、図２３（ｂ）に示されるように、発振安定待ち、イニシャライズ等の所定期間を経て断線検知期間中も異常入力部が継続してＨｉレベル状態に維持されると、室内機の制御部７０は断線等の非接続状態と判定し、断線検知期間経過後に開閉手段７８をＯＦＦにして、運転許可信号の出力を停止する。
【０１２７】
なお、上述した断線検知制御において、図１４に示される吸込温度センサ７２、湿度センサ７４、回転数検知手段７６等は必須の構成ではなく、室内機の制御部７０とは別に静電霧化装置１８，１８Ａの制御部４２を設ける構成であれば、この断線検知制御を採用することができる。
【０１２８】
＜静電霧化装置の異常検知制御＞
この制御は、上述した断線検知制御の後に行われ、静電霧化装置１８，１８Ａにおける放電電流の異常を検知するためのものである。
【０１２９】
上述したように、図１３に示される過剰結露領域では、放電電極３８に結露した水と対向電極４０との距離が短くなることで短絡に近い状態となり、短絡電流により異音が発生したり、所望の粒子径を有する静電ミストが発生しなくなることがあるが、これは放電電極３８の過剰結露水に限ったことではなく、対向電極４０に塵埃や煙草のヤニ等の異物が付着した場合にも発生する現象である。
【０１３０】
しかしながら、これら二つの現象には、静電霧化装置１８，１８Ａの復帰の可否において大きな差異がある。すなわち、放電電極３８の過剰結露水は室内環境に依存し、湿度が高い場合に発生する現象で、室内環境が変われば（湿度が下がれば）静電霧化装置１８，１８Ａは正常状態に復帰可能であるのに対し、対向電極４０の異物付着は、異物の付着程度にもよるが、異物が自然に取れない場合、静電霧化装置１８，１８Ａは正常状態に復帰不可能となり故障と判定すべき現象である。
【０１３１】
そこで、本実施の形態においては、室内機の制御手段７０に放電電流の異常回数をカウントするカウンタを設け、静電霧化装置１８，１８Ａの制御部４２で検知した復帰できない可能性のある異常を室内機の制御部７０に報知し、カウンタによりカウントした異常回数が所定の回数（例えば、２４回）連続した場合に、静電霧化装置１８，１８Ａの故障と判定するようにしている。
【０１３２】
以下、図２４を参照しながら異常検知方法について詳述する。
図２４（ａ）に示されるように、室内機の制御部７０より開閉手段７８を介して静電霧化装置１８，１８Ａの制御部４２に電源電圧が印可されると、静電霧化ユニット３０における放電電流が高電圧トランス２４から制御部４２にフィードバックされる。放電電流が閾値以下の場合には、制御部４２の異常出力部の電圧レベルはＨｉレベルに維持され、室内機の制御部７０の異常入力部の電圧レベルはＬｏレベルに維持される。したがって、制御部７０は放電電流は正常と判定して、静電霧化装置１８，１８Ａの制御部４２に運転許可信号を出力し、静電霧化装置１８，１８Ａが運転される。
【０１３３】
一方、静電霧化装置１８，１８Ａの運転中に、放電電流が前記所定の閾値を超える異常が検知された場合には、静電霧化装置１８，１８Ａの制御部４２の異常出力部がＨｉレベルからＬｏレベルに変わり、室内機の制御部７０の異常入力部はＬｏレベルからＨｉレベルに変わる。制御部７０の異常入力部のＨｉレベル状態が、第１の所定時間（例えば、５秒）継続すると、制御部７０は放電電流の異常と判定し、第１の所定時間経過後に室内機の制御部７０からの運転許可信号の出力を停止する。同時に、カウンタにより異常カウント（１回目のカウント）を行うとともに、第１の所定時間経過後の第２の所定時間（例えば、１５秒）、運転ＯＦＦ処理を行って、第２の所定時間経過後に開閉手段７８をＯＦＦにする。開閉手段７８のＯＦＦ状態は、第３の所定時間（例えば、３０分）継続され、第３の所定時間が経過するまで静電霧化装置１８，１８Ａの運転は禁止される。
【０１３４】
第３の所定時間が経過すると、室内機の制御部７０より開閉手段７８を介して静電霧化装置１８，１８Ａの制御部４２に電源電圧が再び印可され、静電霧化ユニット３０における放電電流が正常の場合には、静電霧化装置１８，１８Ａは再び運転される。
【０１３５】
静電霧化装置１８，１８Ａの再運転中に、放電電流の異常が検知された場合には、第１の所定時間経過後に室内機の制御部７０からの運転許可信号の出力を停止し、カウンタにより異常カウント（２回目のカウント）を行うとともに、第２の所定時間の運転ＯＦＦ処理を経て開閉手段７８はＯＦＦ状態となり、第３の所定時間が経過するまで静電霧化装置１８，１８Ａの運転は禁止される。
【０１３６】
空気調和機の一回の運転で、同様の放電電流異常が連続して所定回数（例えば、２４回）発生した場合には、室内機の制御部７０は静電霧化装置１８，１８Ａの故障と判定して、制御部に設けられた表示部（図示せず）にＬＥＤ等の点灯素子による表示を行う。
【０１３７】
また、図２４（ｂ）に示されるように、空気調和機の一回の運転で、放電電流異常が連続して前記所定回数に達するまでに、第４の所定時間（例えば、１０分）放電電流異常が検知されない場合には、異常回数をカウントするカウンタをクリアしリセットする。
【０１３８】
なお、第３の所定時間を３０分に設定し、放電電流異常の連続カウント回数を２４回に設定した場合、空気調和機の一回の運転を少なくとも１２時間継続しなければ、静電霧化装置１８，１８Ａの故障は検知されないことになるが、空気調和機の運転回数に関係なく放電電流異常のカウント回数を累積し、所定の回数を超えた場合に、静電霧化装置１８，１８Ａの故障と判定するようにしてもよい。
【０１３９】
さらに、制御部４２にフィードバックすることができる静電霧化装置１８，１８Ａの異常としては、図１４のブロック図からもわかるとおり、放電電流の異常の他に、高圧トランス２４の印可電圧の異常や、ペルチェ駆動電圧及び電流の異常、ペルチェ素子３６の異常などがある。これらの異常についても、上記放電電流の異常と同じように異常回数をカウントすることによって静電霧化装置１８，１８Ａの故障と判定するようにしてもよい。
【産業上の利用可能性】
【０１４０】
本発明に係る空気調和機は、室内空気の温度及び湿度に応じて、静電霧化装置を最適制御するようにしたので、静電霧化装置の高寿命化あるいは省エネを達成することができるとともに空気調和機の信頼性を向上することができるので、一般家庭用の空気調和機を含む様々な空気調和機として有用である。
【図面の簡単な説明】
【０１４１】
【図１】一部を取り除いた状態を示す本発明に係る空気調和機の室内機の斜視図
【図２】図１の室内機の概略縦断面図
【図３】図１の室内機に設けられた静電霧化装置の斜視図
【図４】図１の室内機の枠体の一部と静電霧化装置を示す正面図
【図５】静電霧化装置の概略構成図
【図６】静電霧化装置のブロック図
【図７】室内機本体に対する静電霧化装置の取付状態を示す斜視図
【図８】室内機本体に対する静電霧化装置の取付状態を示す変形例の斜視図
【図９】静電霧化装置と換気ファンユニットとの位置関係を示す図１の室内機の側面図
【図１０】図１の室内機に設けられたプレフィルタ自動清掃装置の斜視図
【図１１】静電霧化装置の変形例を示す斜視図
【図１２】図１１の静電霧化装置と換気ファンユニットとの位置関係を示す図１の室内機の側面図
【図１３】静電霧化装置の運転許可領域及び安定霧化領域を示すグラフ
【図１４】室内機の制御部と静電霧化装置の制御部の信号の授受を示すブロック図
【図１５】静電霧化装置の運転制御を示すフローチャート
【図１６】静電霧化装置の運転制御を示すタイミングチャート
【図１７】静電霧化装置の制御回路を示すブロック図
【図１８】静電霧化装置の制御方法を示すフローチャート
【図１９】静電霧化装置の制御方法を示すタイミングチャート
【図２０】人体検知センサを備え、前面パネルが前面開口部を開放した状態の室内機を示しており、（ａ）はその斜視図、（ｂ）はその側面図
【図２１】図２０に示される人体検知センサで検知される人体位置判別領域を示す概略図
【図２２】室内機の制御部と静電霧化装置の制御部間の異常信号線を示す詳細ブロック図
【図２３】（ａ）室内機の制御部と静電霧化装置の制御部間の複数の接続線に断線等がなく正常な場合のタイミングチャート、（ｂ）複数の接続線が断線等の非接続状態である場合のタイミングチャート
【図２４】（ａ）静電霧化装置の故障判定方法を示すタイミングチャート、（ｂ）故障判定方法でカウントした異常回数をクリアする場合のタイミングチャート
【符号の説明】
【０１４２】
２  室内機本体、  ２ａ  前面吸込口、２ｂ  上面吸込口、  ４  前面パネル、  
５  プレフィルタ、  ６  熱交換器、  ８  室内ファン、  １０  吹出口、  
１２  上下羽根、  １４  左右羽根、  １６  換気ファンユニット、  
１８，１８Ａ  静電霧化装置、  ２０  主流路、  ２２  バイパス流路、  
２２ａ  バイパス吸入口、  ２２ｂ  バイパス吹出口、  ２２ｃ  バイパス吸入管、
２２ｄ  バイパス吹出管、  ２２ｅ  収容部、  ２４  高電圧トランス、  
２６  バイパス送風ファン、  ２８  放熱部、  ３０  静電霧化ユニット、  
３２  サイレンサ、  ３４  ケーシング、  ３６  ペルチェ素子、  ３６ａ  放熱面、
３６ｂ  冷却面、  ３８  放電電極、  ４０  対向電極、  ４２  制御部、  
４４  ペルチェ駆動電源、  ４６  台枠、  ４６ａ  後部壁、  ４６ｂ  側壁、
４６ｃ  隔壁、  ４６ｄ  開口、  ４８  リヤガイダ、    ４８ａ  後部壁、  
４８ｂ  側壁、  ５０  プレフィルタ自動清掃装置、  ５２  吸引ノズル、  
５４  ガイドレール、  ５６  吸引ダクト、  ５８  吸引装置、  ５８ａ  排気口、
６０  排気ダクト、  ６２  開口部、  ６４  ダンパ、  ６６  ユニットハウジング、
６８  サイレンサハウジング、  ７０  制御部、  ７２  吸込温度センサ、  
７４  湿度センサ、  ７６  回転数検知手段、  ７８  開閉手段、  ８０  汚れセンサ、
８４  駆動回路、  ８６  表示部、  ８８  記憶部、  
９０，９２，９４，９６，９８  人体検知センサ、  ９９  センサカバー、
１００  抵抗、  １０２  トランジスタ、  １０４，１０６  抵抗。
【図１】
0005180615.tif 000002
【図２】
0005180615.tif 000003
【図３】
0005180615.tif 000004
【図４】
0005180615.tif 000005
【図５】
0005180615.tif 000006
【図６】
0005180615.tif 000007
【図７】
0005180615.tif 000008
【図８】
0005180615.tif 000009
【図９】
0005180615.tif 000010
【図１０】
0005180615.tif 000011
【図１１】
0005180615.tif 000012
【図１２】
0005180615.tif 000013
【図１３】
0005180615.tif 000014
【図１４】
0005180615.tif 000015
【図１５】
0005180615.tif 000016
【図１６】
0005180615.tif 000017
【図１７】
0005180615.tif 000018
【図１８】
0005180615.tif 000019
【図１９】
0005180615.tif 000020
【図２０】
0005180615.tif 000021
【図２１】
0005180615.tif 000022
【図２２】
0005180615.tif 000023
【図２３】
0005180615.tif 000024
【図２４】
0005180615.tif 000025